(57)【特許請求の範囲】
【請求項１】
複数段の風温モードを設定する設定部と、
設定された風温モードを報知する報知部と、
設定された風温モードに応じて空気を加熱する加熱部と、
加熱による風温変化に対応する報知態様となるように前記報知部を制御する報知制御部と、
を備え、
前記報知部は、複数段の輝度で発光する発光表示部であり、
前記報知制御部は、加熱による風温変化に対応する輝度となるように、前記発光表示部を駆動する駆動電流を対数カーブに従って増加させる
ことを特徴とする加熱送風装置。
【請求項２】
前記発光表示部を駆動する経路を複数に分岐させ、分岐後のそれぞれの経路に受動部品を接続し、それぞれの受動部品を介して発光表示部に流れる電流を前記報知制御部が制御することを特徴とする請求項１記載の加熱送風装置。
【請求項３】
前記発光表示部に流れる電流の制御を時間軸に対しても行うことを特徴とする請求項２記載の加熱送風装置。
【請求項４】
前記受動部品はインダクタを含むことを特徴とする請求項２記載の加熱送風装置。
【発明の詳細な説明】
【技術分野】
【０００１】
本発明は、ドライヤー等の加熱送風装置に関する。
【背景技術】
【０００２】
近年のドライヤーは、風温を調整する機能を備えているのが一般的である。風温調整レベルを確認するには、ドライヤーから吐出される風を使用者の手などに吹きつける方法があるが、このような確認作業は煩雑である。そこで、特許文献１に開示されるドライヤーでは、ヒータやファンモータへの通電量を無段階に制御する電力調整用位相制御回路を備え、その電力調整レベルに応じて多数個の発光素子を順次点灯させるようにしている。このようにすれば、風温の調整レベルがリニアに表示されるため、レベル調整後の風温が髪処理に適した温度であるかどうかを容易に視認することができる。
【先行技術文献】
【特許文献】
【０００３】
【特許文献１】実公昭５８−２０１６３号公報
【発明の概要】
【発明が解決しようとする課題】
【０００４】
ところで、ドライヤーでは、風温や風量のモードに応じてファンが回転している。風量モードを切り替えた場合は即座に風量が変化するが、風温モードを切り替えた場合は即座に風温が変化するわけではない。すなわち、温風モードから冷風モードへ切り替えた直後は加熱部が蓄熱されているため、送風部が加熱部の蓄熱を吐き出し口から送出するのに従って徐々に風温が低下し、やがて飽和する。また、冷風モードから温風モードへ切り替えた直後は加熱部が蓄熱されていないため、送風部が加熱部で発熱した熱を吐き出し部から送出するのに従って徐々に風温が上昇し、やがて飽和する。
【０００５】
しかしながら、特許文献１に開示されるドライヤーによると、風温モードを切り替えた場合は、その風温の調整レベルの表示が即座に変化する構成となっている。そのため、ドライヤーから吐出される風温変化を精度よく使用者に伝えるには問題があった。
【０００６】
本発明は上記課題を解決するためになされたものであり、その目的は、風温変化を精度よく使用者に伝えることのできる加熱送風装置を提供することである。
【課題を解決するための手段】
【０００７】
本発明は、加熱送風装置であり、複数段の風温モードを設定する設定部と、設定された風温モードを報知する報知部と、設定された風温モードに応じて空気を加熱する加熱部と、加熱による風温変化に対応する報知態様となるように前記報知部を制御する報知制御部とを備え、前記報知部は、複数段の輝度で発光する発光表示部であり、前記報知制御部は、加熱による風温変化に対応する輝度となるように、前記発光表示部を駆動する駆動電流を対数カーブに従って増加させる。
【０００８】
また、前記報知部は、複数段の輝度で発光する発光表示部であり、前記報知制御部は、加熱による風温変化に対応する輝度となるように前記発光表示部を制御してもよい。
【０００９】
また、前記発光表示部を駆動する経路を複数に分岐させ、分岐後のそれぞれの経路に受動部品を接続し、それぞれの受動部品を介して発光表示部に流れる電流を前記報知制御部が制御してもよい。
【００１０】
また、前記発光表示部に流れる電流の制御を時間軸に対しても行ってもよい。
【００１１】
また、前記受動部品はインダクタを含んでもよい。
【発明の効果】
【００１２】
本発明によれば、加熱による風温変化に対応する報知態様となるため、風温変化を精度よく使用者に伝えることのできる加熱送風装置を提供することが可能となる。
【図面の簡単な説明】
【００１３】
【図１】図１は、実施形態１におけるドライヤーの全体図である。
【図２】図２は、実施形態１におけるドライヤーのブロック図である。
【図３】図３は、実施形態１におけるタイムチャートである。
【図４】図４は、実施形態２におけるドライヤーの全体図である。
【図５】図５は、実施形態２におけるドライヤーのブロック図である。
【図６】図６は、実施形態２におけるタイムチャートである。
【図７】図７は、実施形態３における発光表示部の外観図である。
【図８】図８は、実施形態３におけるドライヤーのブロック図である。
【図９】図９は、実施形態３におけるタイムチャートである。
【図１０】図１０は、実施形態４におけるＬＥＤ駆動電流の時間変化を示す図である。
【図１１】図１１は、実施形態４におけるポート状態を示す図である。
【図１２】図１２は、実施形態４におけるタイムチャートである。
【図１３】図１３は、実施形態５におけるドライヤーのブロック図である。
【発明を実施するための形態】
【００１４】
以下、本発明の実施形態について図面を参照して詳細に説明する。
【００１５】
（実施形態１）
図１は、実施形態１におけるドライヤーの全体図である。この図に示すように、筒状に形成されるハウジング１の下部にグリップ部２が折り畳み可能に取り付けられている。グリップ部２の前面中央に配されたメインスイッチ９を上下にスライドさせることで風量を切り替えることができる。ハウジング１の後端部には吸い込み部３が形成され、ハウジング１の先端部には吐き出し部４が形成されている。モータ５によりファン６が回転駆動されると、吸い込み部３から空気が吸い込まれる。吸い込まれた空気は、空気流路７を流れる際に加熱部８で適宜加熱されて吐き出し部４から吹き出されるようになっている。
【００１６】
図２は、実施形態１におけるドライヤーのブロック図である。風温設定スイッチ１４は、複数段の風温モードを設定するためのスイッチである。加熱部８は、風温設定スイッチ１４により設定された風温モードに応じて空気を加熱するヒータ１１等である。制御部１５は、ヒータ１１に供給される電力を制御する。例えば、制御部１５は、ヒータ１１を駆動するトライアック１２と、トライアック１２を駆動するマイコン１３とで構成される。報知部１９は、風温設定スイッチ１４により設定された風温モードを報知する。例えば、報知部１９は、グリップ部２内に配置された振動モータ１８と、振動モータ１８を駆動するトランジスタ１７とで構成される。報知制御部１６は、加熱による風温変化に対応する報知態様となるように報知部１９を制御する。報知制御部１６には、制御部１５のマイコン１３を使用することができる。
【００１７】
以下、制御部１５の動作を説明する。まず、本体の電源が投入されると、現在の風量モードに応じた回転数でファン６が動作し、マイコン１３が通電される。次いで、設定された風温モードに応じた通電率でマイコン１３がトライアック１２へヒータ駆動信号を送信すると、トライアック１２が導通され、ヒータ１１が駆動する。これにより、設定された風温モードに応じた温度の風が吐き出し部４から吐出されることになる。
【００１８】
次に、報知制御部１６及び報知部１９の動作を説明する。ここでは、図３のタイムチャートを用いて説明する。（Ａ）は風温設定スイッチ１４の押下タイミング、（Ｂ）は風温モード、（Ｃ）は振動モータ１８の振幅、（Ｄ）は風温を示している。風温モードは、モード１〜４までの４種類とし、モード１〜４の順に風温が高くなるものとする。
【００１９】
まず、本体の電源が投入されると、マイコン１３が通電される。この状態で風温設定スイッチ１４が押下されるたびに４種類の風温モードが順に切り替わる。風温モードがより高温のモードに切り替わると、モード切り替え後の風温変化に応じて振動モータ１８の振幅が徐々に大きくなる。そして、モード切り替えから数秒経過して風温が一定になると、振動モータ１８の振幅も一定となる。
【００２０】
以上のように、実施形態１におけるドライヤーによれば、加熱による風温変化に対応する報知態様となるように報知部１９が制御される。すなわち、モード切り替え後の風温は徐々に変化するため、その風温変化に応じて振動モータ１８の振幅も徐々に変化させるようになっている。これにより、風温変化を精度よく使用者に伝えることができるので、使用感や使い勝手を向上させることが可能である。
【００２１】
（実施形態２）
以下、実施形態２を実施形態１と異なる点のみ説明する。
【００２２】
図４は、実施形態２におけるドライヤーの全体図である。このドライヤーは、図４に示すように、複数段の輝度で発光するＬＥＤ等の発光表示部２０を備えている。この発光表示部２０は報知部１９に相当する。報知制御部１６は、加熱による風温変化に対応する輝度となるように発光表示部２０を制御するようになっている。
【００２３】
図５は、実施形態２におけるドライヤーのブロック図である。この図に示すように、マイコン１３は、マイコンポートＡ，Ｂ，Ｃ，Ｄを介してそれぞれＬＥＤ１，２，３，４と接続されている。ＬＥＤ１はモード１、ＬＥＤ２はモード２、ＬＥＤ３はモード３、ＬＥＤ４はモード４にそれぞれ対応している。モード１〜４の意味は実施形態１と同じである。
【００２４】
以下、報知制御部１６及び報知部１９の動作を説明する。ここでは、図６のタイムチャートを用いて説明する。（Ａ）は風温設定スイッチ１４の押下タイミング、（Ｂ）は風温モード、（Ｃ）は風温モード表示、（Ｄ）は風温を示している。
【００２５】
まず、本体の電源が投入されると、マイコン１３が通電される。この状態で風温設定スイッチ１４が押下されるたびに、４種類の風温モードが順に切り替わり、ＬＥＤ１，ＬＥＤ２，ＬＥＤ３，ＬＥＤ４の順で表示が切り替わる。風温モードが切り替わると、全てのＬＥＤが消灯した後、モード切り替え後の風温変化に応じて、そのモードに対応するＬＥＤの輝度が変化する。そして、モード切り替えから数秒経過して風温が一定になると、そのモードに対応するＬＥＤの輝度も一定となる。再び風温設定スイッチ１４が押下されると、直前のモードに対応するＬＥＤが消灯し、次のモードに対応するＬＥＤの輝度が風温に応じて変化する。
【００２６】
以上のように、実施形態２におけるドライヤーでは、風温変化に応じてＬＥＤの輝度を徐々に変化させるようになっている。これにより、風温変化を精度よく使用者に伝えることができるので、使用感や使い勝手を向上させることが可能である。
【００２７】
（実施形態３）
以下、実施形態３を実施形態２と異なる点のみ説明する。
【００２８】
図７は、実施形態３における発光表示部２０の外観図である。本実施形態における風温モードは、モード１〜４までの４種類とし、モード１は温風モード、モード２は温冷風モード、モード３は冷風モード、モード４は低温風モードとする。各モードの意味は後述する。図中の温風の文字にはＬＥＤ１、両方向の矢印にはＬＥＤ２、冷風の文字にはＬＥＤ３、低温風の文字にはＬＥＤ４がそれぞれ連動している。
【００２９】
図８は、実施形態３におけるドライヤーのブロック図である。この図に示すように、マイコンポートＡ，Ｂ，Ｃをそれぞれ抵抗Ａ，Ｂ，Ｃと接続し、マイコンポートＤ，Ｅ，Ｆをそれぞれ抵抗Ｄ，Ｅ，Ｆと接続する。抵抗Ａ，Ｂ，Ｃは、ＬＥＤ１，３に流れる電流を制限し、抵抗Ｄ，Ｅ，Ｆは、ＬＥＤ２，４に流れる電流を制限する。トランジスタＡ，Ｂ，Ｃ，Ｄは、ＬＥＤ１，２，３，４の活性、非活性を切り替える。ここでは、マイコン１３から電流をＬＥＤ１，２，３，４へ供給する構成となっているが、電源から供給した電流をマイコン１３へ流す構成とすることもできる。
【００３０】
以下、報知制御部１６及び報知部１９の動作を説明する。ここでは、図９のタイムチャートを用いて説明する。（Ａ）は風温設定スイッチ１４の押下タイミング、（Ｂ）は風温モード、（Ｃ）は風温モード表示、（Ｄ）は風温を示している。
【００３１】
まず、本体の電源が投入されると、ファン６が動作し、吐き出し部４から送風が発生する。マイコン１３が通電されると、風温モードはモード１となる。モード１は、温風を出力するモードであるが、加熱部８に電力が供給された直後はヒータ温度が低いため冷風が出力される。モード１では、ＬＥＤ１の輝度を制御するため、トランジスタＡが導通状態となり、トランジスタＢ，Ｃ，Ｄは非導通となる。ただし、ポートＡ，Ｂ，Ｃは出力していないため、ＬＥＤ１は消灯したままとなる。
【００３２】
ヒータ１１が加熱されて温度が上昇し始めると、空気流路７に送られる風がヒータ１１で発生した熱を帯びて風温が徐々に上昇し、吐き出し部４から送風される。風温が上昇するにつれ、ポートＣ、ポートＢ、ポートＢ＋Ｃ、ポートＡ、ポートＡ＋Ｃ、ポートＡ＋Ｂ、ポートＡ＋Ｂ＋Ｃの順にポート出力をＨレベルに設定する。ポートＡに４ｍＡ、ポートＢに２ｍＡ、ポートＣに１ｍＡの電流が流れるように、抵抗Ａ，Ｂ，Ｃをそれぞれ７５０Ω、１．５ｋΩ、３ｋΩに設定する。これにより、０ｍＡ→１ｍＡ→２ｍＡ→３ｍＡ→４ｍＡ→５ｍＡ→６ｍＡ→７ｍＡといったように、ＬＥＤ１に流れる電流がリニアに増加するため、風温が上昇するにつれてＬＥＤ１の輝度を徐々に高くすることができる。
【００３３】
次いで、風温設定スイッチ１４が押下されると、モード２に切り替わる。モード２は、例えば冷風５秒、温風７秒といったように、温風と冷風を交互に出力するモードである。モード２では、ＬＥＤ１，２，３の輝度を制御するため、トランジスタＡ，Ｂ，Ｃが導通状態となり、トランジスタＤは非導通となる。モード２へ切り替わった直後はＬＥＤ１〜４を一斉消灯させ、徐々にＬＥＤ２の輝度が明るくなるように制御を行い、その後は風温設定スイッチ１４が押下されるまでＬＥＤ２を常時点灯させる。冷風出力時には、ＬＥＤ３を点灯させて冷風が出力されていることを示し、温風出力時には、ＬＥＤ１を点灯させて温風が出力されていることを示す。温風へ切り替わった直後と冷風へ切り替わった直後は、ＬＥＤ１，３の輝度が徐々に明るくなるように制御を行う。また、冷風出力時間が終了する前には、その終了時間から逆算し、ＬＥＤ３の輝度が徐々に暗くなるように制御を行う。さらに、温風出力時間が終了する前には、その終了時間から逆算し、ＬＥＤ１の輝度が徐々に暗くなるように制御を行う。このようにすれば、常時点灯している両方向の矢印を挟んで温風の文字と冷風の文字が交互に点灯するだけでなく、その点灯のレベルを風温変化に応じて徐々に変化させることができる。
【００３４】
次いで、風温設定スイッチ１４が押下されると、モード３に切り替わる。モード３は、冷風を出力するモードである。モード３では、ＬＥＤ３の輝度を制御するため、トランジスタＣが導通状態となり、トランジスタＡ，Ｂ，Ｄは非導通となる。モード３へ切り替わった直後はＬＥＤ１〜４を一斉消灯させ、徐々にＬＥＤ３の輝度が明るくなるように制御を行う。その後は風温設定スイッチ１４が押下されるまでＬＥＤ３を常時点灯させる。
【００３５】
次いで、風温設定スイッチ１４が押下されると、モード４に切り替わる。モード４は、低温風を出力するモードである。モード４では、ＬＥＤ４の輝度を制御するため、トランジスタＤが導通状態となり、トランジスタＡ，Ｂ，Ｃは非導通となる。モード４へ切り替わった直後はＬＥＤ１〜４を一斉消灯させ、徐々にＬＥＤ４の輝度が明るくなるように制御を行う。その後は風温設定スイッチ１４が押下されるまでＬＥＤ４を常時点灯させる。
【００３６】
以降、風温設定スイッチ１４が押下されるたびにモード１〜４まで順に切り替わる。
【００３７】
以上のように、実施形態３におけるドライヤーでは、発光表示部２０を駆動する経路を複数に分岐させ、分岐後のそれぞれの経路に受動部品を接続し、それぞれの受動部品を介して発光表示部２０に流れる電流を報知制御部１６が制御するようにしている。これにより、発光表示部２０を駆動する電流が制御されるため、風温変化に応じて発光表示部２０を制御することが可能となる。
【００３８】
一般的に報知制御部１６はマイコンで構成されるが、タイマー数が少ない低価格なマイコンを使用する場合は、発光表示部２０の制御の目的のみに専用のタイマーを割り当ててデューティ制御による調光を行うことが困難である。実施形態３におけるドライヤーでは、タイマーを使用せずに発光表示部２０が制御されるため、低価格なマイコンを使用することができ、回路コストを低減することが可能である。
【００３９】
（実施形態４）
以下、実施形態４を実施形態３と異なる点のみ説明する。本実施形態では、発光表示部２０の輝度をより滑らかに変化させるようにするため、以下の手法を採用している。
【００４０】
すなわち、マイコン１３に実装されているソフトウェアのメインサイクルは３．５ｍｓで構成されている。このメインサイクルの例えば６個分をＬＥＤ制御を行う１周期とする。１周期を２１ｍｓ以下に設定すれば、ＬＥＤの点灯、消灯の繰り返しによるチラツキが目立たない。
【００４１】
本実施形態における報知制御部１６は、メインサイクルの構成に使用するタイマーを活用することで、発光表示部２０を駆動させる電流の制御を時間軸に対しても行う。例えば、図１０に示すように、発光表示部２０を駆動させる平均電流が０．５０ｍＡである場合は、発光表示部２０に流れる電流を各メインサイクルで１ｍＡ→０ｍＡ→１ｍＡ→０ｍＡ→１ｍＡ→０ｍＡの順に変化させる。１ｍＡの電流を発光表示部２０に流すには、図１１に示すように、ポートＡ，Ｃをハイインピーダンス状態（Ｈｉ−ｚ）、ポートＢ，Ｅをハイインピーダンス状態、ポートＣ，ＦをＨ出力にすればよい。このように、Ｈ出力とハイインピーダンス状態を切り替えながら、ポートＡ，Ｂ，Ｃ，Ｄ，Ｅ，Ｆの状態を制御するようになっている。
【００４２】
本実施形態では、実施形態３に比べてＬＥＤの輝度が多段階に調節される。すなわち、実施形態３では、０ｍＡ→１ｍＡ→２ｍＡ→３ｍＡ→４ｍＡ→５ｍＡ→６ｍＡ→７ｍＡといったように、ＬＥＤの輝度は８段階に調節される。一方、実施形態４では、０．００ｍＡ→０．１７ｍＡ→０．３３ｍＡ→・・・→７．００ｍＡといったように、ＬＥＤの輝度は４３段階に調節される。ＬＥＤ駆動電流をリニアに増加させると、視覚的にはＬＥＤの明るさがリニアに増加しない。そのため、ＬＥＤ駆動電流を対数カーブに従って増加させる。これにより、図１２に示すように、ＬＥＤの明るさが視覚的にリニアに見えるようになる。
【００４３】
以上のように、実施形態４におけるドライヤーでは、発光表示部２０に流れる電流の制御を時間軸に対しても行うようにしている。すなわち、実施形態３では、電流値の変化のみで発光表示部２０の輝度を制御していたが、実施形態４では、この電流制御を時間軸に対しても行う。これにより、発光表示部２０の輝度をより滑らかに変化させることができるので、外観品質を向上させることが可能となる。
【００４４】
（実施形態５）
以下、実施形態５を実施形態４と異なる点のみ説明する。
【００４５】
図１３は、実施形態５におけるドライヤーのブロック図である。この図に示すように、ＬＥＤ１，３に流れる電流を制限する抵抗Ａ，Ｂ，Ｃに代えて、インダクタａ，ｂ，ｃを含む受動部品を備えている。また、ＬＥＤ２，４に流れる電流を制限する抵抗Ｄ，Ｅ，Ｆに代えて、インダクタｄ，ｅ，ｆを含む受動部品を備えている。ＬＥＤの輝度を周期変化させる場合、インダクタをＬＥＤ電流経路上に直列に配置することで、ＬＥＤ駆動電流の急激な変化を抑制し、ＬＥＤの輝度をより滑らかに変化させることができる。
【００４６】
以上のように、実施形態４におけるドライヤーでは、発光表示部２０を駆動する経路に直列接続された受動部品がインダクタを含むため、その受動部品を駆動する電流および発光表示部２０を駆動する電流をより穏やかに変化させることができる。これにより、発光表示部２０の輝度をより滑らかに変化させることができるので、外観品質を向上させることが可能となる。
【００４７】
なお、以上では好適な実施形態について説明したが、本発明は前記実施形態に限定されず、種々の変形が可能である。例えば、ここでは、振動モータ１８の振幅の変化や発光表示部２０の輝度の変化によって風温変化を報知することとしているが、振動モータ１８の振動パターンの変化やブザー音の周波数または音量の変化によって風温変化を報知するようにしてもよい。
【符号の説明】
【００４８】
８  加熱部
１４  風温設定スイッチ（設定部）
１６  報知制御部
１９  報知部
２０  発光表示部
【図１】
0005895186.tif 000002
【図２】
0005895186.tif 000003
【図３】
0005895186.tif 000004
【図４】
0005895186.tif 000005
【図５】
0005895186.tif 000006
【図６】
0005895186.tif 000007
【図７】
0005895186.tif 000008
【図８】
0005895186.tif 000009
【図９】
0005895186.tif 000010
【図１０】
0005895186.tif 000011
【図１１】
0005895186.tif 000012
【図１２】
0005895186.tif 000013
【図１３】
0005895186.tif 000014